【事件の表示】
　特願２０１２−２５２１３６号「遊技機」拒絶査定不服審判事件〔平成２６年　６月　５日出願公開、特開２０１４−１００１６６号〕について、次のとおり審決する。
【結　論】
　本件審判の請求は、成り立たない。
【理　由】
１　手続の経緯・本願発明
　本願は、平成２４年１１月１６日の出願であって、平成２８年７月２０日付けで拒絶の理由が通知され、同年９月２３日に意見書及び手続補正書が提出されたが、平成２９年１月２３日付け（発送日：同年１月３１日）で拒絶査定がなされ、これに対して、平成２９年４月２６日付けで拒絶査定不服審判の請求がなされたものである。
　そして、この出願の請求項１に係る発明（以下「本願発明」という。）は、平成２８年９月２３日付け手続補正書により補正された特許請求の範囲の請求項１に記載された次のとおりのものである（Ａ〜Ｇについては、発明特定事項を分説するため当審で付した。）。
「Ａ　正面が開口された筐体と、
Ｂ　該筐体の前記開口を開閉する前扉と、備え、
Ｃ　前記前扉に開口部が形成された遊技機であって、
Ｄ　前記開口部を塞ぐようにして前記前扉に取付けられるパネルと、
Ｅ　該パネルの背面側から延設されていると共に先端側に係止突起部が設けられた第１係止部と、
Ｆ　前記開口部の縁部に設けられていると共に前記係止突起部が係止することで前記第１係止部が係止する第１被係止部と、を備え、
Ｇ　前記係止突起部は、前記開口部と前記パネルとの上部隙間に挿入される異物によって押される方向である下方に向かって突起している、
　ことを特徴とする遊技機。」
２　刊行物
　原査定の拒絶の理由に引用された本願の出願前に頒布された刊行物である特開２００３−２７５３７２号公報（以下、「刊行物」という。）には、図面と共に次の事項が記載されている（下線は当審で付した。）。
（ア）「【００２８】本実施の形態における
分離型スロットマシンＳ
正面側に開口部１１を有する本体キャビネット１
本体キャビネット１の開口部１１を開閉可能に塞ぐ前扉３
この前扉３は、
上扉３０、
下扉４０とから構成されている
（イ）「【００４０】ところで、図３に示すように、
下扉４０
には、正面側に向かって開口する下扉開口部１２０が形成されており、前記パネルユニット５０を取り付けることにより、この下扉開口部１２０が塞がれるようになっている
前記下扉開口部１２０の
縦枠１２２
には、
扉側係合部４６（４６ａ
）が設けられている。この扉側係合部４６は、
パネルユニット係合部５４（５４ａ
）と係合可能な形状に形成されているものである
・・・
【００４２】
パネルユニット５０は、
開口部５１を有する正面部５２と、
底面部５３と、
側面部５９によりフレーム部材が構成されている
【００４３】さらに、
正面部５２の裏面上方であって、開口部５１の左右側には、パネルユニット５０を下扉４０に取り付けるためのパネルユニット係合部５４ａが二つ設けられている。パネルユニット係合部５４ａは、図４に示すように、相対向するフック部を有する突出片であり、下扉４０の縦枠１２２の上方に設けられた扉側係合部４６ａと係合可能に形成されている
（ウ）上記（イ）【００４３】の「正面部５２の裏面上方であって、開口部５１の左右側には、パネルユニット５０を下扉４０に取り付けるためのパネルユニット係合部５４ａが二つ設けられている。パネルユニット係合部５４ａは、図４に示すように、相対向するフック部を有する突出片であ」ることという記載を参酌して、図４を見ると、「相対向するフック部を有する突出片であ」る「パネルユニット係合部５４ａ」は、「正面部５２の裏面」から突出して設けられており、「相対向するフック部」は、「パネルユニット係合部５４ａ」の先端側に設けられ、「パネルユニット５０」の内方に向かって突起していると認められる。
　上記（ア）、（イ）の記載事項および（ウ）の認定事項から、以下の事項が導かれる。
（ａ）上記（ア）【００２８】には、「正面側に開口部１１を有する本体キャビネット１」と記載されている。
（ｂ）上記（ア）【００２８】には、「本体キャビネット１の開口部１１を開閉可能に塞ぐ前扉３」と記載されている。
（ｃ）上記（ア）【００２８】には、「この前扉３は、・・・上扉３０、・・・下扉４０とから構成されている」こと、および、上記（イ）【００４０】には、「下扉４０・・・には、正面側に向かって開口する下扉開口部１２０が形成されて」いることが、それぞれ、記載されている。
　また、上記（ア）【００２８】には、「分離型スロットマシンＳ」と記載されている。
　よって、刊行物には、上扉３０と下扉４０とから構成されている前扉３の下扉４０には、下扉開口部１２０が形成されている分離型スロットマシンＳが記載されているといえる。
（ｄ）上記（イ）【００４０】には、「下扉４０・・・には、正面側に向かって開口する下扉開口部１２０が形成されており、前記パネルユニット５０を取り付けることにより、この下扉開口部１２０が塞がれるようになっている」と記載されている。
　よって、刊行物には、下扉４０の下扉開口部１２０に取り付けることにより、この下扉開口部１２０が塞がれるようになっているパネルユニット５０が記載されているといえる。
（ｅ）上記（イ）【００４２】には、「パネルユニット５０は、・・・正面部５２と、・・・底面部５３と、・・・側面部５９によりフレーム部材が構成されている」ことが、同【００４３】には、「正面部５２の裏面・・・には、パネルユニット５０を下扉４０に取り付けるためのパネルユニット係合部５４ａが・・・設けられている。パネルユニット係合部５４ａは、・・・フック部を有する突出片であ」ることが、それぞれ、記載されている。
　そして、上記（ウ）より、「パネルユニット係合部５４ａ」は、「正面部５２の裏面」から突出して設けられており、「フック部」は「パネルユニット係合部５４ａ」の先端側に設けられている。
　よって、刊行物には、パネルユニット５０の正面部５２の裏面から突出して設けられ、先端側にフック部を有する突出片であるパネルユニット係合部５４ａが記載されているといえる。
（ｆ）上記（イ）【００４０】には、「前記下扉開口部１２０の・・・縦枠１２２・・・には、・・・扉側係合部４６（４６ａ・・・）が設けられている。この扉側係合部４６は、・・・パネルユニット係合部５４（５４ａ・・・）と係合可能な形状に形成されているものである」と、同【００４３】には、「パネルユニット係合部５４ａは、・・・フック部を有する突出片であり、下扉４０の縦枠１２２の上方に設けられた扉側係合部４６ａと係合可能に形成されている」と、それぞれ、記載されている。
　よって、刊行物には、下扉開口部１２０の縦枠１２２に設けられ、フック部を有する突出片であるパネルユニット係合部５４ａが係合可能な形状に形成されている扉側係合部４６ａが記載されているといえる。
（ｇ）上記（イ）【００４２】には、「パネルユニット５０は、・・・開口部５１を有する正面部５２と、・・・底面部５３と、・・・側面部５９によりフレーム部材が構成されている」ことが、同【００４３】には、「正面部５２の裏面・・・であって、開口部５１の左右側には、パネルユニット５０を下扉４０に取り付けるためのパネルユニット係合部５４ａが二つ設けられている。パネルユニット係合部５４ａは、・・・相対向するフック部を有する突出片であ」ることが、それぞれ、記載されている。
　そして、上記（ウ）より、「相対向するフック部」は、「パネルユニット５０」の内方に向かって突起している。
　また、上記（ア）【００２８】には、「分離型スロットマシンＳ」と記載されている。
　よって、刊行物には、パネルユニット５０の内方に向かって突起している相対向するフック部を有する突出片は、正面部５２の裏面の左右側に相対向して設けられている、分離型スロットマシンＳが記載されているといえる。
　以上（ア）、（イ）の記載事項、（ウ）の認定事項、及び上記（ａ）〜（ｇ）の認定事項を総合すれば、刊行物には、以下の発明（以下、「引用発明」という。）が記載されている（ａ〜ｇは発明の構成を分説するため当審で付した。）。
「ａ　正面側に開口部１１を有する本体キャビネット１と、
ｂ　本体キャビネット１の開口部１１を開閉可能に塞ぐ前扉３と、備え、
ｃ　上扉３０と下扉４０とから構成されている前扉３の下扉４０には、下扉開口部１２０が形成されている分離型スロットマシンＳであって、
ｄ　下扉４０の下扉開口部１２０に取り付けることにより、この下扉開口部１２０が塞がれるようになっているパネルユニット５０と、
ｅ　パネルユニット５０の正面部５２の裏面から突出して設けられ、先端側にフック部を有する突出片であるパネルユニット係合部５４ａと、
ｆ　下扉開口部１２０の縦枠１２２に設けられ、フック部を有する突出片であるパネルユニット係合部５４ａが係合可能な形状に形成されている扉側係合部４６ａと、を備え、
ｇ　パネルユニット５０の内方に向かって突起している相対向するフック部を有する突出片は、正面部５２の裏面の左右側に相対向して設けられている、
　分離型スロットマシンＳ。」
３　対比
　本願発明と引用発明とを対比する。なお、見出しは（ａ）〜（ｇ）とし、本願発明、引用発明の分説に対応させている。
（ａ）引用発明の「正面側に開口部１１を有する本体キャビネット１」は、本願発明の「正面が開口された筐体」に相当する。
（ｂ）引用発明の「本体キャビネット１の開口部１１を開閉可能に塞ぐ前扉３」は、本願発明の「該筐体の前記開口を開閉する前扉」に相当する。
（ｃ）引用発明の「前扉３」は、「上扉３０と下扉４０とから構成されて」おり、「下扉開口部１２０」は「下扉４０」に形成されているので、「前扉３」に「下扉開口部１２０」が形成されているといえる。
　また、引用発明の「分離型スロットマシンＳ」は、本願発明の「遊技機」に相当する。
　よって、引用発明の「上扉３０と下扉４０とから構成されている前扉３の下扉４０には、下扉開口部１２０が形成されている分離型スロットマシンＳ」は、本願発明の「前記前扉に開口部が形成された遊技機」に相当する。
（ｄ）引用発明の「下扉開口部１２０が塞がれるようになっている」こと、「下扉４０の下扉開口部１２０に取り付ける」ことは、それぞれ、本願発明の「前記開口部を塞ぐように」すること、「前記前扉に取り付け」ることに相当する。
　したがって、引用発明の「パネルユニット５０」は、本願発明の「パネル」に相当する。
　よって、引用発明の「下扉４０の下扉開口部１２０に取り付けることにより、この下扉開口部１２０が塞がれるようになっているパネルユニット５０」は、本願発明の「前記開口部を塞ぐようにして前記前扉に取付けられるパネル」に相当する。
（ｅ）引用発明の「パネルユニット５０の正面部５２の裏面から突出して設けられ」ること、「フック部」は、それぞれ、本願発明の「該パネルの背面側から延設されている」こと、「係止突起部」に相当する。
　そうすると、引用発明の「突出片」および「パネルユニット係合部５４ａ」は、いずれも本願発明の「第１係止部」に相当する。
　よって、引用発明の「パネルユニット５０の正面部５２の裏面から突出して設けられ、先端側にフック部を有する突出片であるパネルユニット係合部５４ａ」は、本願発明の「該パネルの背面側から延設されていると共に先端側に係止突起部が設けられた第１係止部」に相当する。
（ｆ）引用発明の「下扉開口部１２０の縦枠１２２」は、本願発明の「前記開口部の縁部」に相当する。
　また、上記（ｅ）より、引用発明の「フック部」は、本願発明の「係止突起部」に、引用発明の「突出片」および「パネルユニット係合部５４ａ」は、いずれも本願発明の「第１係止部」に、それぞれ、相当する。
　引用発明の「フック部を有する突出片であるパネルユニット係合部５４ａ」において、実際に係合に寄与する部位は「フック部」であることは明らかであるから、引用発明の「フック部を有する突出片であるパネルユニット係合部５４ａが係合可能な形状に形成されている扉側係合部４６ａ」は、本願発明の「前記係止突起部が係止することで前記第１係止部が係止する第１被係止部」に相当する。
　よって、引用発明の「下扉開口部１２０の縦枠１２２に設けられ、フック部を有する突出片であるパネルユニット係合部５４ａが係合可能な形状に形成されている扉側係合部４６ａ」は、本願発明の「前記開口部の縁部に設けられていると共に前記係止突起部が係止することで前記第１係止部が係止する第１被係止部」に相当する。
（ｇ）上記（ｃ）より、引用発明の「分離型スロットマシンＳ」は、本願発明の「遊技機」に相当する。
　上記（ａ）〜（ｇ）の対比により、本願発明と引用発明とは、
「Ａ　正面が開口された筐体と、
Ｂ　該筐体の前記開口を開閉する前扉と、備え、
Ｃ　前記前扉に開口部が形成された遊技機であって、
Ｄ　前記開口部を塞ぐようにして前記前扉に取付けられるパネルと、
Ｅ　該パネルの背面側から延設されていると共に先端側に係止突起部が設けられた第１係止部と、
Ｆ　前記開口部の縁部に設けられていると共に前記係止突起部が係止することで前記第１係止部が係止する第１被係止部と、を備える、
Ｇ’　遊技機。」
である点で一致し、以下の点で相違する。
［相違点］
　本願発明では、係止突起部は、開口部とパネルとの上部隙間に挿入される異物によって押される方向である下方に向かって突起しているのに対し、引用発明では、そのような構成が特定されていない点。
４　判断
　上記相違点について検討する。
　引用発明において、「パネルユニット５０の内方に向かって突起している相対向するフック部を有する突出片は、正面部５２の裏面の左右側に相対向して設けられている」から、パネルユニット５０を下扉開口部１２０に取り付けた際に、パネルユニット５０の左右の端部に生じる下扉開口部１２０との隙間に異物が挿入されると、異物は突出片に当接するので、突出片は内方に押されることとなる。
　そして、「相対向するフック部」は、「パネルユニット５０の内方に向かって突起して」いることから、フック部は、隙間に挿入される異物によって押される方向に向かって突起しているといえる。
　また、遊技機の技術分野において、パネルユニット５０を下扉開口部１２０に取り付ける際に、係合箇所を、開口部の上下左右いずれにするかは、遊技機前面の意匠等を考慮し、当業者が適宜設計し得る事項にすぎない（係合箇所を開口部の上部に設けた例として、必要があれば、特開２００７−１１７１９７号公報（【００３９】、図５等。）、特開２００９−１６０２９０号公報（【００３７】〜【００３９】、図３、図７等。）、特開２０１２−６６１００号公報（【０１３５】〜【０１３７】、図７、図８（ｂ）。）等参照されたい。）。
　そうすると、引用発明において、内方に向かって突起するフック部をパネルユニット５０の上側に設けることは、当業者が容易になし得たことである。そして、引用発明におけるフック部は内方に向かって突起するものであるから、上記のようにフック部をパネルユニット５０の上側に設けた際には、フック部は内方、すなわち、下方に突起するものであり、開口部とパネルとの上部隙間に挿入される異物によって押される方向である下方に向かって突起しているという、当該相違点に係る本願発明の構成となることは明らかである。
５　審判請求人の主張について
　審判請求書において、請求人は、引用文献１記載の発明は、「本願発明のように、「ゴト行為の防止」については全く触れられていない。」と主張している（５頁１７〜１９行）。
　この主張について検討すると、遊技機の分野において、「ゴト行為の防止」を考慮することは、常に内在する自明の課題であり、また、異物の侵入を許した上で、ゴト行為の防止を図ることも、既に解決済みの課題である（必要があれば、特開２００７−１１７１９７号公報の【００１７】、【０００７】〜【００１１】等を参照されたい。）。
　したがって、引用発明において、「ゴト行為の防止」については全く触れられていないからといって、本願発明と課題が異なるとはいえない。
　そして、本願発明による効果は、引用発明から予測し得る範囲のものであり格別なものとはいえない。
　よって、請求人の主張は採用できない。
６　むすび
　以上のとおりであるから、本願発明は、引用発明に基づいて当業者が容易に発明をすることができたものであり、特許法第２９条第２項の規定により特許を受けることができない。
　したがって、その余の請求項について検討するまでもなく、本願は、拒絶されるべきものである。
　よって、結論のとおり審決する。